(57)【要約】【課題】  水や汚物が外部に噴出するのを防止する。【解決手段】  オムツにホースを介して接続される排泄物処理本体１４ａを備え、この排泄物処理本体１４ａが、排泄タンク２００、洗浄水の貯留タンク、洗浄水の送水ポンプ、並びに送風ブロワを備え、これら送水ポンプ、並びに送風ブロワを、制御装置からの運転指令に基づき運転させて、オムツ内の汚物を吸引し、又はオムツ内を洗浄する排泄物処理装置において、ホースが、排泄タンクに接続されるオムツ吸引ホース１６と、送風ブロワの吐出側に接続される送風ホース１７と、送水ポンプの吐出側に接続される洗浄水ホース１８とを含み、それぞれのホース１６、１７、１８の接続を検知する検知手段４７１、４８１を含み、制御装置からの運転指令が出力され、かつ、それぞれのホース１６、１７、１８の接続が検知された場合に、排泄物処理本体１４ａの運転を許可する許可手段とを備えた。【選択図】      図４
2006026124.tif 000002
【特許請求の範囲】
【請求項１】
オムツにホースを介して接続される排泄物処理本体を備え、この排泄物処理本体が、排泄タンク、洗浄水の貯留タンク、洗浄水の送水ポンプ、並びに送風ブロワを備え、これら送水ポンプ、並びに送風ブロワを、制御装置からの運転指令に基づき運転させて、前記オムツ内の汚物を吸引し、又は前記オムツ内を洗浄する排泄物処理装置において、
前記ホースが、排泄タンクに接続される汚物吸引ホースと、送風ブロワの吐出側に接続される送風ホースと、送水ポンプの吐出側に接続される洗浄水ホースとを含み、それぞれのホースの接続を検知する検知手段を含み、前記制御装置からの運転指令が出力され、かつ、それぞれのホースの接続が検知された場合に、排泄物処理本体の運転を許可する許可手段を備えることを特徴とする排泄物処理装置。
【請求項２】
前記排泄物処理本体を収容する筐体を備え、この筐体に前記検知手段を備えたことを特徴とする請求項１記載の排泄物処理装置。
【請求項３】
それぞれのホースの接続端に連結具を備え、
この連結具が検知手段に当接することによりホースの接続が検知されることを特徴とする請求項１または２記載の排泄物処理装置。
【発明の詳細な説明】
【技術分野】
【０００１】
オムツにホースを介して接続される排泄物処理装置に関する。
【背景技術】
【０００２】
一般に、オムツ及び排泄物処理本体を連結するホースと、排泄物処理本体を収納する筐体と、この筐体の収納部を閉塞する蓋体とを備え、この蓋体を閉じた状態で排泄物処理本体を運転させて、オムツ内の汚物を吸引し、又はオムツ内を洗浄する排泄物処理装置が知られている（例えば、特許文献１参照）。この種の排泄物処理装置では、筐体内に汚物が貯留される排泄タンクが設置され、この排泄タンク内の汚物を捨てる際には、筐体の蓋体が開けられ、介護者によってホースが排泄物処理本体から抜かれて、排泄タンクが筐体から取り外される構成となっているのが一般的である。そして、空になった排泄タンクが再び筐体内に設置され、排泄物処理本体の接続口に介護者によってホースが接続されて、筐体の蓋体が閉じられる。
【特許文献１】特開２００２−１５３４９８号公報
【発明の開示】
【発明が解決しようとする課題】
【０００３】
しかし、上記排泄物処理装置では、介護者がホースの一端を排泄物処理本体に接続するのを忘れてしまったり、ホースがきちんと接続されていない状態で、排泄物処理本体を運転させてしまうと、水や汚物が、ホースの一端あるいは排泄物処理本体から外部に噴出してしまうという問題があった。
そこで、本発明の目的は、上述した従来の技術が有する課題を解消し、水や汚物が外部に噴出するのを防止する排泄物処理装置を提供することにある。
【課題を解決するための手段】
【０００４】
上記課題を解決するため、本発明は、オムツにホースを介して接続される排泄物処理本体を備え、この排泄物処理本体が、排泄タンク、洗浄水の貯留タンク、洗浄水の送水ポンプ、並びに送風ブロワを備え、これら送水ポンプ、並びに送風ブロワを、制御装置からの運転指令に基づき運転させて、オムツ内の汚物を吸引し、又はオムツ内を洗浄する排泄物処理装置において、ホースが、排泄タンクに接続される汚物吸引ホースと、送風ブロワの吐出側に接続される送風ホースと、送水ポンプの吐出側に接続される洗浄水ホースとを含み、それぞれのホースの接続を検知する検知手段を含み、制御装置からの運転指令が出力され、かつ、それぞれのホースの接続が検知された場合に、排泄物処理本体の運転を許可する許可手段を備えることを特徴とする。
【０００５】
この場合において、排泄物処理本体を収容する筐体を備え、この筐体に検知手段を備える構成としてもよい。
【０００６】
また、それぞれのホースの接続端に連結具を備え、この連結具が検知手段に当接することによりホースの接続が検知される構成としてもよい。
【発明の効果】
【０００７】
本発明によれば、水や汚物が外部に噴出するのを防止することができる。
【発明を実施するための最良の形態】
【０００８】
以下、図面を参照して本発明の実施の形態について説明する。図１は、本発明の実施形態にかかる排泄物処理システム１の構成を示す図である。この図１に示すように、排泄物処理システム１は、使用者３の腰臀部に装着されるオムツ１２と、オムツ１２内部の排泄物または汚水を吸引し蓄積する排泄物処理装置１４とを備える。これらオムツ１２と排泄物処理装置１４とは、汚物吸引ホース１６、洗浄水ホース１７および送風ホース１８により接続され、排泄物処理装置１４は、洗浄水ホース１７や送風ホース１８を介して洗浄水や空気をオムツ１２内に供給し、汚物吸引ホース１６を介してオムツ１２内の汚物を当該排泄物処理装置１４に吸引する。なお、符号１０は、使用者３が横たわるマットである。
【０００９】
図２は、排泄物処理装置１４の回路構成を示す図である。この図２に示すように、排泄物処理装置１４は、排泄物または汚水（洗浄水を含む）を貯留する排泄タンク２００を備えており、この排泄タンク２００は、汚物吸引ホース１６を介してオムツ１２の汚物吸引ホース接続口に接続されている。排泄タンク２００は、液面センサ２０１とセパレータ２０２とを備え、液面センサ２０１は、排泄タンク２００内に貯留された排泄物および汚水の液面位置を検知する。セパレータ２０２は、液体を除去して気体のみを通過させるものであり、このセパレータ２０２は、空気管１４０、脱臭・殺菌器２０７、空気管１４１を介して送風ブロワ２０５の吸込口に接続される。脱臭・殺菌器２０７は、排泄タンク２００から吸い出された空気を脱臭・除菌するものである。
【００１０】
送風ブロワ２０５の吐出口には、空気管１４３、分岐管１４４、空気管１４５が順次接続され、この空気管１４５は、送風ホース１８を介してオムツ１２の送風ホース接続口に接続される。オムツ１２内には、送風ホース接続口に連通する洗浄口１３４ａが形成される。脱臭・殺菌器２０７にて殺菌され、送風ブロワ２０５から吐出された空気は、洗浄口１３４ａを通じて、オムツ１２内に供給される。
【００１１】
上記空気管１４３と空気管１４５との間には、分岐管１４４が接続され、この分岐管１４４は、空気管１５０、二方弁２１８、空気管１５１および分岐管１７０を介して二方向に分岐され、一方が、水管１４９、ウォータポンプ（洗浄水の送水ポンプ）２１５および水管１４８を介して洗浄水タンク（洗浄水の貯留タンク）２１０に接続され、他方が水管１５２、洗浄水ホース１７を介してオムツ１２の洗浄水ホース接続口に接続される。オムツ１２内には、洗浄水ホース接続口に連通する洗浄口１３０ａ、１３０ｂが形成される。これら洗浄口１３０ａ、１３０ｂは、先端に小孔を有し、この小孔を通じて噴射された洗浄水によって、使用者の局部を洗浄するものである。
【００１２】
本構成では、上述の洗浄口１３４ａは、洗浄口１３０ａ、１３０ｂに夫々設けられた小孔よりも大きな開口面積を有しており、二方弁２１８を開いた状態で送風ブロワ２０５及びウォータポンプ２１５を動作させると、洗浄口１３４ａを通じてオムツ１２内に空気と洗浄水とが混合されて供給される構成となっている。これは、洗浄口１３４ａを通じてオムツ１２に流入する方が、洗浄口１３０ａ、１３０ｂを通じてオムツ１２に流入するよりも圧力損失が小さくなるためである。
【００１３】
洗浄水タンク２１０は、オムツ１２内に供給する洗浄水が貯留されるタンクであり、温水ヒータ２１１、サーミスタ２１２およびフロートセンサ（水位計）２１３を備えている。温水ヒータ２１１は、洗浄水タンク２１０内の洗浄水を暖めるものであり、サーミスタ２１２は、洗浄水の温度を検知するものであり、フロートセンサ（水位計）２１３は、洗浄水タンク２１０内の洗浄水の量を検知するためのものである。また、この洗浄水タンク２１０の底部には、水管１４７が接続され、この水管１４７の途中に設けられた水抜コック（活栓）２１４が開かれると、洗浄水タンク２１０内の洗浄水が外に排出される。
【００１４】
また、排泄物処理装置１４は、当該排泄物処理装置１４全体を制御する制御部２１６を備えており、この制御部２１６によって、送風ブロワ２０５、温水ヒータ２１１、ウォータポンプ２１５、二方弁２１８等が制御される。
【００１５】
次に、排泄物処理装置１４の動作について説明する。なお、二方弁２１８は初期状態において閉鎖されている。
【００１６】
この動作は吸引工程、洗浄工程、水抜工程の３工程に大別される。
【００１７】
まず、吸引工程は、オムツ１２から排泄物などを吸引する動作であり、制御部２１６は、二方弁２１８を開き、送風ブロワ２０５を動作させる。これにより、排泄タンク２００内は、送風ブロワ２０５によって空気が吸引されて負圧に保たれ、汚物収集トレイ１２０に設けられたオムツ側汚物吸引ホース接続口より汚物吸引ホース１６、排泄タンク２００、送風ブロワ２０５に向かって空気が流れる一方、送風ブロワ２０５の吐出口から空気管１４３、空気管１４５、送風ホース１８、洗浄口１３４ａを通って、オムツ１２内に空気が循環する。
【００１８】
このとき、制御部２１６がウォータポンプ２１５を運転させることにより、洗浄水が洗浄水タンク２１０から水管１４８、水管１４９、分岐管１７０、二方弁２１８を経て空気管１４５へと流入する。これは、上述のように、洗浄口１３４ａの開口面積が、洗浄口１３０ａ、１３０ｂに夫々設けられた小孔より大きな面積を有するため、圧損が低いからである。そして、この空気管１４５内で上記洗浄水と空気とが混合された状態で、送風ホース１８を介してオムツ１２に送水され、洗浄口１３４ａから噴射されることで汚物の流動性を高めることにより汚物の吸引を行なうものである。
【００１９】
さらに詳述すると、送風ブロワ２０５が運転されると、排泄タンク２００が負圧に保たれ、セパレータ２０２により、排泄タンク２００内の空気だけが空気管１４０に導かれ、脱臭・除菌器２０７によって空気に含まれる臭気の除去と、殺菌とが行われ、送風ブロワ２０５の吸込口に流入する。また、送風ブロワ２０５の吐出口から吐出された空気は、上記のように脱臭と除菌が行われてオムツ１２内に導かれ、オムツ１２内が衛生に保たれる。
【００２０】
次に、洗浄工程は、使用者３の各部位を洗浄する動作であり、先ず、制御部２１６は、送風ブロワ２０５を動作させる。これにより、排泄タンク２００内は、送風ブロワ２０５によって空気が吸引されて負圧に保たれ、汚物収集トレイ１２０に設けられたオムツ側汚物吸引ホース接続口１２２より汚物吸引ホース１６、排泄タンク２００、送風ブロワ２０５に向かって空気が流れる一方、送風ブロワ２０５の吐出口から空気管１４３、空気管１４５、送風ホース１８、洗浄口１３４ａを通って、オムツ１２内に空気が循環する。
【００２１】
このとき、ウォータポンプ２１５を運転させることにより、洗浄水タンク２１０から洗浄水が水管１４８、水管１４９、分岐管１７０、洗浄水ホース１７を経てオムツ１２の洗浄口１３０ａ、１３０ｂから噴射される。つまり、この洗浄工程にあっては、オムツ１２内から洗浄水を吸引するために、上述した吸引工程における空気の循環と同様の空気の循環も合わせて行われる。
【００２２】
水抜工程は、洗浄水ホース１７内に溜まった洗浄水を排水する動作であり、制御部２１６は、洗浄工程終了の後（すなわち、ウォータポンプ２１５の停止後）、二方弁２１８を開き、送風ブロワ２０５を運転させる。これによって、送風ブロワ２０５から吐出される空気の一部が、分岐管１４４、空気管１５０、二方弁２１８、空気管１５１、分岐管１７０、水管１５２を経て洗浄水ホース１７に導かれるため、洗浄水ホース１７内に溜まった洗浄水を排水できる。これにより、次回洗浄開始時に水管内に溜まった低温の水を少なくでき、使用者３へ噴出する低温の洗浄水を少なくできる。
【００２３】
図３は、排泄物処理装置１４の外観を示す斜視図である。この図３に示すように、排泄物処理装置１４は、排泄物処理本体１４ａと、この排泄物処理本体１４ａが収納される筐体１５とを備える。この筐体１５は、上方が開口した箱形状に形成され、排泄物処理本体１４ａを収納する収納部１５ａが設けられ、この収納部１５ａの上方には、開閉自在な蓋体１５ｂが設けられている。収納部１５ａには、排泄物処理本体１４ａの一部としての排泄タンク２００および脱臭・殺菌器２０７が収納されている。なお、排泄物処理本体１４ａは、排泄タンク２００、洗浄水タンク２１０、ウォータポンプ２１５、並びに送風ブロワ２０５などを備えて構成される。
【００２４】
筐体１５は、この筐体１５の一側面の上部に開口部４００を備え、この開口部４００には、汚物吸引ホース１６の一端１６ａが接続される汚物吸引ホース接続管２１と、洗浄水ホース１７の一端１７ａが接続される洗浄水ホース接続管２２と、送風ホース１８の一端１８ａが接続される送風ホース接続管２３とが設けられている。汚物吸引ホース接続管２１は排泄タンク２００に接続され、洗浄水ホース接続管２２は水管１５２（図２）に接続され、送風ホース接続管２３は空気管１４５（図２）に接続されている。
【００２５】
汚物吸引ホース１６の一端１６ａには、この汚物吸引ホース１６の一端１６ａを保持する係止部材４０１（連結具）が設けられている。また、洗浄水ホース１７の一端１７ａ及び送風ホース１８の一端１８ａには、当該洗浄水ホース１７の一端１７ａ及び送風ホース１８の一端１８ａを一体的に保持する係止部材４０２（連結具）が設けられている。
【００２６】
一方、汚物吸引ホース接続管２１には、接続管係合部４０３が形成されている。また、洗浄水ホース接続管２２及び送風ホース接続管２３には、接続管係合部４０４が形成されている。そして、係止部材４０１が接続管係合部４０３に係合して係止されることで、汚物吸引ホース１６の一端１６ａが汚物吸引ホース接続管２１に接続される。また、係止部材４０２が接続管係合部４０４に係合して係止されることで、洗浄水ホース１７の一端１７ａ及び送風ホース１８の一端１８ａのそれぞれが洗浄水ホース接続管２２及び送風ホース接続管２３のそれぞれに接続される。
【００２７】
また、排泄物処理本体１４ａは、蓋体１５ｂの開閉を検知するセンサ２２０を備えている。このセンサ２２０は、例えば、リミットスイッチ等であり、筐体１５において蓋体１５ｂが閉じている場合に蓋体１５ｂに当接する箇所に設置されており、制御部２１６に接続されている。
【００２８】
制御部２１６は、センサ２２０による蓋体１５ｂの開閉検知の結果、蓋体１５ｂが開いている場合、排泄物処理本体１４ａの送風ブロワ２０５（図２）およびウォータポンプ２１５（図２）の運転を禁止する。例えば、排泄物処理本体１４ａの運転中に蓋体１５ｂが開けられた場合、制御部２１６は、直ちに、送風ブロワ２０５およびウォータポンプ２１５の運転を停止するようにしている。
【００２９】
上述のように、筐体１５は、各ホース１６、１７、１８が接続される各ホース接続管２１、２２、２３が望む開口部４００を備える。図４は、これら各ホース接続管２１、２２、２３に各ホース１６、１７、１８が接続された状態を示す開口部４００付近の部分斜視図である。
【００３０】
汚物吸引ホース１６の係止部材４０１には、図４に示すように、操作者によって着脱が操作される一対の操作部４０５が備えられている。これら一対の操作部４０５は、汚物吸引ホース１６の一端１６ａを挟んで設けられている。同様に、洗浄水ホース１７及び送風ホース１８の係止部材４０２には、操作者によって着脱が操作される一対の操作部４０６が備えられている。
【００３１】
操作者が操作部４０５を操作することによって、係止部材４０１を接続管係合部４０３に着脱させることができ、汚物吸引ホース１６の一端１６ａを汚物吸引ホース接続管２１に着脱することができる。また、操作者が操作部４０６を操作することによって係止部材４０２を接続管係合部４０４に着脱させることができ、洗浄水ホース１７の一端１７ａ及び送風ホース１８の一端１８ａのそれぞれを洗浄水ホース接続管２２及び送風ホース接続管２３のそれぞれに着脱することができる。
【００３２】
ところで、介護者がホースの一端１６ａ、１７ａ、１８ａのいずれかを排泄物処理本体１４ａのホース接続管２１、２２、２３に接続するのを忘れてしまったり、ホースがきちんと接続されておらず、ホースの一端１６ａ、１７ａ、１８ａのいずれかがホース接続管２１、２２、２３から外れてしまうことがある。仮にこのような状態で排泄物処理本体１４ａを運転させた場合には、水や汚物がホースの一端１６ａ、１７ａ、１８ａあるいはホース接続管２１、２２、２３から外部に噴出してしまうこととなる。
【００３３】
本実施形態では、ホースの一端１６ａ、１７ａ、１８ａがホース接続管２１、２２、２３に接続されていることを検知するリミットスイッチが設けられている。
【００３４】
開口部４００は、筐体１５の一側面に形成された矩形の切り欠き４５１と、この切り欠き４５１の周縁に連設され、筐体１５内部側に凹んで形成される板材４５３とを備える。この板材４５３は、切り欠きの下縁４５１ａに連設し、各ホース１６、１７、１８の下方に位置する底面部４５５と、切り欠き４５１の側縁４５１ｂに連設される側面部４５９と、これら底面部４５５および側面部４５９に連設する背面部４５７とを備える。この背面部４５７には、汚物吸引ホース接続管２１を筐体１５の外部に導きだすための第１の切り欠き４６１と、洗浄水ホース接続管２２および送風ホース接続管２３を筐体１５の外部に導きだすための第２の切り欠き４６３とが形成されている。
【００３５】
本構成では、板材４５３は筐体１５内部側に凹んで形成され、各ホース１６、１７、１８の下方に位置する底面部４５５を備えているため、ホースを着脱する際に、汚物や水が垂れた場合であっても、この垂れは筐体１５内部ではなく、底面部４５５に落ちるので、この底面部４５５を清掃することによって、排泄物処理装置１４を清潔に保つことができる。
【００３６】
第１の切り欠き４６１と第２の切り欠き４６３との間に位置する背面部４５７には、汚物吸引ホース１６が汚物吸引ホース接続管２１に接続されていることを検知する第１のリミットスイッチ（検知手段）４７１と、洗浄水ホース１７および送風ホース１８が洗浄水ホース接続管２２および送風ホース接続管２３に接続されていることを検知する第２のリミットスイッチ（検知手段）４８１とを備えている。上述のように、洗浄水ホース１７および送風ホース１８は、係止部材４０２によって、洗浄水ホース接続管２２および送風ホース接続管２３に一体的に接続されるため、洗浄水ホース１７および送風ホース１８が洗浄水ホース接続管２２および送風ホース接続管２３に接続されていることを検知するリミットスイッチは１つ設けるだけで良い。
【００３７】
第１および第２のリミットスイッチ４７１、４８１は、スイッチ本体４７３、４８３と、このスイッチ本体４７３、４８３に接続される平板４７５、４８５とを備える。この平板４７５、４８５は、回動軸４７７、４８７を中心に各ホース接続管２１、２２、２３の軸方向に回動し、各ホースが接続されていない状態では、筐体１５の外部に向けて（図中X方向）付勢されている。スイッチ本体４７３、４８３は、信号線（不図示）を介して、制御部（許可手段）２１６（図２）に接続されている。この制御部２１６は、第１および第２のリミットスイッチ４７１、４８１による検知の結果、すべてのホース１６、１７、１８が、各ホース接続管２１、２２、２３に接続されている場合に限り、排泄物処理本体１４ａの送風ブロワ２０５（図２）およびウォータポンプ２１５（図２）の運転を許可するように構成されている。
【００３８】
これによれば、例えば、汚物吸引ホース１６が、汚物吸引ホース接続管２１から外れている状態で、送風ブロワ２０５およびウォータポンプ２１５を運転させた場合に、オムツ１２内の汚物が、汚物吸引ホース１６の一端１６ａから外部に噴出されることを防止できる。また、例えば、洗浄水ホース１７および送風ホース１８が、洗浄水ホース接続管２２および送風ホース接続管２３から外れている状態で、送風ブロワ２０５およびウォータポンプ２１５を運転させた場合に、当該洗浄水ホース接続管２２および送風ホース接続管２３から洗浄水などが外部に噴出されることを防止できる。
【００３９】
汚物吸引ホース１６の係止部材４０１が、汚物吸引ホース接続管２１に接続されると、係止部材４０１の操作部４０５の端面４０５ａが、第１のリミットスイッチ４７１の平板４７５に当接し、この平板４７５は付勢力に抗して、筐体１５の内部方向（図中Ｙ方向）に回動して、スイッチ本体４７３の接点を閉じる。同様に、洗浄水ホース１７および送風ホース１８の係止部材４０２が、洗浄水ホース接続管２２および送風ホース接続管２３に接続されると、係止部材４０２の端面４０２ａが、第２のリミットスイッチ４８１の平板４８５に当接し、この平板４８５は付勢力に抗して、筐体１５の内部方向（図中Ｙ方向）に回動して、スイッチ本体４８３の接点を閉じる。
【００４０】
各ホース１６、１７、１８が、各ホース接続管２１、２２、２３に接続され、上記第１および第２のリミットスイッチ４７５、４８５が作動した場合には、制御部２１６は、排泄物処理本体１４ａの運転を許可し、介護者または使用者の運転指令に応じて、排泄物処理本体１４ａを運転する。
【００４１】
本実施形態によれば、汚物吸引ホース１６の係止部材４０１が汚物吸引ホース接続管２１に接続されたことを検知する第１のリミットスイッチ４７１と、洗浄水ホース１７及び送風ホース１８の係止部材４０２が洗浄水ホース接続管２２および送風ホース接続管２３に接続されていることを検知する第２のリミットスイッチ４８１と、これら第１、第２のリミットスイッチ４７１、４８１が各ホースの接続を検知した場合に、排泄物処理本体１４ａの運転を許可するように構成したため、各ホース１６、１７、１８が各ホース接続管２１、２２、２３から外れた状態で、排泄物処理本体１４ａの運転を禁止することにより、汚物が汚物吸引ホース１６から外部に噴出するのを防止することができるとともに、洗浄水が、ホース接続口２２、２３から外部に噴出するのを防止することができる。
【００４２】
また、本実施形態では、各ホースの接続端に係止部材４０１、４０２を設け、この係止部材４０１、４０２がリミットスイッチ４７１、４８１に当接して、ホースの接続を検知する構成としているため、ホース接続時に、係止部材４０１、４０２がリミットスイッチ４７１、４８１に当接しているかどうかを目視で確認することができるため、各ホース１６、１７、１８をホース接続管２１、２２，２３に確実に接続することができ、ひいては、汚物が汚物吸引ホース１６から外部に噴出するのを防止することができるとともに、洗浄水が、ホース接続口２２、２３から外部に噴出するのを防止することができる。
【００４３】
以上、一実施形態に基いて本発明を説明したが、本発明は、これに限定されるものではない。例えば、本実施形態では、ホースの接続を検知するリミットスイッチ４７１、４８１は、各ホースの係止部材４０１、４０２が当接する開口部４００の背面部４５７に設けているが、これにかかわらず、側面部４５９もしくは底面部４５５に設けても良い。この場合、各係止部材４０１、４０２がリミットスイッチ４７１、４７２と確実に当接するように、これら各係止部材４０１、４０２に当接部材を設けることが望ましい。
【００４４】
また、本実施形態では、ホースの接続を検知する検知手段として、リミットスイッチ４７１、４８１を説明しているが、これに限るものではない。また、本実施形態では、筐体１５の開口部４００に、各ホース１６、１７、１８が各ホース接続口２１、２２、２３に接続されていることを検知するリミットスイッチ４７１、４８１を備える構成としたが、排泄物処理装置の操作回路（例えば、センサ２００の信号線）を分断して、分断したそれぞれの信号線を端子に接続するとともに、ホース側にこの端子間を接続する導通部材を備え、ホースを連結する場合に、この導通部材が上記端子間を接続して、操作回路を動作可能とする構成としても良い。
【図面の簡単な説明】
【００４５】
【図１】本発明の実施形態にかかる排泄物処理システムの構成を示す図である。
【図２】オムツと排泄物処理装置の回路構成を示す図である。
【図３】排泄物処理装置の外観を示す斜視図である。
【図４】各ホース接続管に各ホースが接続された状態を示す開口部付近の部分斜視図である。
【符号の説明】
【００４６】
１  排泄物処理システム
１２  オムツ
１４  排泄物処理装置
１４ａ  排泄物処理本体
１５  筐体
１５ｂ  蓋体
１６  汚物吸引ホース（ホース）
１７  洗浄水ホース（ホース）
１８  送風ホース（ホース）
２００  排泄タンク
２０５  送風ブロワ（洗浄水の貯留タンク）
２１０  洗浄水タンク
２１５  ウォータポンプ（洗浄水の送水ポンプ）
２１６  制御部（許可手段）
４００  開口部
４０１、４０２  係止部材（連結具）
４７１、４８１  リミットスイッチ（検知手段）
【図１】
2006026124.tif 000003
【図２】
2006026124.tif 000004
【図３】
2006026124.tif 000005
【図４】
2006026124.tif 000006